(57)【要約】【課題】  大容量の記憶装置や高速な処理装置を用いることなく、製本に適した印刷出力を得ることである。【解決手段】  選択された製本方法に従い刷り本を印刷する画像形成装置であって、原稿画像を読取るスキャナ１０と、読取った原稿の画像データを蓄積する画像蓄積部１３と、プリンタ１１と、原稿の読取開始ページ番号を入力するための操作表示部１２と、印刷した刷り本の枚数をカウントするカウント手段を有する制御部１５とを備え、制御部１５は、前記入力された読取開始ページ番号及び前記カウントした刷り本の枚数から、前記選択された製本方法に適した順序で次の刷り本を印刷するために、読取るべき原稿のページ番号を算出して操作表示部１２に表示する。【選択図】  図１
2012090116.tif 000002
【特許請求の範囲】
【請求項１】
画像読取手段を備え、複数のページから成る原稿を読取って、選択された製本方法に従い刷り本を印刷する画像形成装置であって、
前記原稿の読取開始ページ番号を入力する入力手段と、
前記刷り本を印刷する毎に、印刷した刷り本の枚数をカウントするカウント手段と、
前記入力された読取開始ページ番号及びカウントされた前記刷り本の枚数に基づいて、前記選択された製本方法に適した順序で、次の刷り本の印刷に係る読取るべき原稿のページ番号を算出する算出手段と、
前記算出されたページ番号を表示する表示手段と、
を有する画像形成装置。
【請求項２】
画像読取手段を備え、複数のページから成る原稿を読取って、選択された製本方法に従い刷り本を印刷する画像形成装置であって、
前記原稿の読取開始ページ番号及び読取終了ページ番号を入力する入力手段と、
前記刷り本を印刷する毎に、印刷した刷り本の枚数をカウントするカウント手段と、
前記入力された読取開始ページ番号及び読取終了ページ番号並びにカウントされた前記刷り本の枚数に基づいて、前記選択された製本方法に適した順序で、次の刷り本の印刷に係る読取るべき原稿のページ番号を算出する算出手段と、
前記算出されたページ番号を表示する表示手段と、
を有する画像形成装置。
【請求項３】
請求項１又は２に記載された画像形成装置において、
前記画像読取手段により読取った原稿の画像データより原稿のページ番号を認識する文字認識手段と、
前記文字認識手段により認識された原稿のページ番号と、前記算出手段が算出した前記読取るべき原稿のページ番号とが一致しているか否かを判断する判断手段と、
を有する画像形成装置。
【請求項４】
請求項３に記載された画像形成装置において、
前記判断手段により、前記文字認識手段が認識した原稿のページ番号と、前記算出手段が算出した前記読取るべき原稿のページ番号とが一致していないと判断されたとき、エラー又は警告をユーザに通知する手段を有する画像形成装置。
【請求項５】
請求項１ないし４のいずれかに記載された画像形成装置において、
前記算出手段により算出された前記読取るべき原稿のページ番号を音声により通知する音声通知手段を有する画像形成装置。
【請求項６】
複数のページから成る原稿を画像読取手段で読取って、選択された製本方法に従い刷り本を印刷する画像形成装置における画像読取方法であって、
前記原稿の読取開始ページ番号を入力する工程と、
前記刷り本を印刷する毎に、印刷した刷り本の枚数をカウントする工程と、
前記入力された読取開始ページ番号及びカウントされた前記刷り本の枚数に基づいて、前記選択された製本方法に適した順序で、次の刷り本の印刷に係る読取るべき原稿のページ番号を算出する工程と、
前記算出する工程により算出されたページ番号を、表示装置に表示させる工程と、
前記画像読取手段により原稿のページを読取る工程と、
を有する、画像形成装置における画像読取方法。
【請求項７】
コンピュータに請求項６に記載された画像読取方法の各工程を実行させるプログラム。
【発明の詳細な説明】
【技術分野】
【０００１】
本発明は、画像読取手段を備え複数ページの原稿を読取って製本のための刷り本を印刷する画像形成装置、その画像形成装置における画像読取方法、及びプログラムに関する。
【背景技術】
【０００２】
複写機には、原稿を１枚ずつ記録用紙に複写するだけでなく、書籍など複数のページから成る製本された原稿（ブック原稿）の複製を作成できるように、ページ番号の若いページから順番にブック原稿を読取ると、ユーザ指定の製本方法（中綴じ（週刊誌綴じ）や袋とじなど）に応じたページ配列で記録用紙に印刷を行って刷り本（製本工程に入る前の、印刷が完了した紙）を作成する機能（製本印刷機能）を有するものがある。これにより、ユーザは、印刷された刷り本を束ねて綴じれば、所望のブック原稿の複製を作成することができる。
【０００３】
従来、このような製本印刷機能を持つ画像形成装置として、スキャナで読取られた原稿の画像データをページ単位で記憶装置に記憶しておき、指定された製本方法に応じて、記憶装置に記憶された画像のページ順序を再配列して記録用紙上に印刷する画像形成装置が知られている（特許文献１参照）。
【０００４】
しかしながら、上述した従来の画像形成装置は、スキャナで読取った原稿の画像データを全て記憶しておくため大容量の記憶装置を必要とし、かつ、記憶した画像データを製本方法に応じて再配列するという時間のかかる処理を行うため高速な処理装置も必要になることから、画像形成装置の構成が複雑となって、その製造コストも増大するという問題を有している。
【発明の概要】
【発明が解決しようとする課題】
【０００５】
本発明は、上記従来の問題に鑑みなされたものであって、その目的は、大容量の記憶装置や高速な処理装置を用いることなく、製本のための刷り本を印刷することである。
【課題を解決するための手段】
【０００６】
本発明は、画像読取手段を備え、複数のページから成る原稿を読取って、選択された製本方法に従い刷り本を印刷する画像形成装置であって、前記原稿の読取開始ページ番号を入力する入力手段と、前記刷り本を印刷する毎に、印刷した刷り本の枚数をカウントするカウント手段と、前記入力された読取開始ページ番号及びカウントされた前記刷り本の枚数に基づいて、前記選択された製本方法に適した順序で、次の刷り本の印刷に係る読取るべき原稿のページ番号を算出する算出手段と、前記算出されたページ番号を表示する表示手段と、を有する画像形成装置である。
また、本発明は、画像読取手段を備え、複数のページから成る原稿を読取って、選択された製本方法に従い刷り本を印刷する画像形成装置であって、前記原稿の読取開始ページ番号及び読取終了ページ番号を入力する入力手段と、前記刷り本を印刷する毎に、印刷した刷り本の枚数をカウントするカウント手段と、前記入力された読取開始ページ番号及び読取終了ページ番号並びにカウントされた前記刷り本の枚数に基づいて、前記選択された製本方法に適した順序で、次の刷り本の印刷に係る読取るべき原稿のページ番号を算出する算出手段と、前記算出されたページ番号を表示する表示手段と、を有する画像形成装置である。
また、本発明は、複数のページから成る原稿を画像読取手段で読取って、選択された製本方法に従い刷り本を印刷する画像形成装置における画像読取方法であって、前記原稿の読取開始ページ番号を入力する工程と、前記刷り本を印刷する毎に、印刷した刷り本の枚数をカウントする工程と、前記入力された読取開始ページ番号及びカウントされた前記刷り本の枚数に基づいて、前記選択された製本方法に適した順序で、次の刷り本の印刷に係る読取るべき原稿のページ番号を算出する工程と、前記算出する工程により算出されたページ番号を、表示装置に表示させる工程と、前記画像読取手段により原稿のページを読取る工程と、を有する、画像形成装置における画像読取方法である。
また、本発明は、コンピュータに上記の画像読取方法の各工程を実行させるプログラムである。
【発明の効果】
【０００７】
本発明によれば、大容量の記憶装置や高速な処理装置を用いることなく、製本のための刷り本を印刷することができる。
【図面の簡単な説明】
【０００８】
【図１】本発明の一実施形態に係る画像形成装置の構成を示すブロック図である。
【図２】本画像形成装置の制御部の構成を示すブロック図である。
【図３】本画像形成装置の動作手順を示すフロー図である。
【図４】本画像形成装置の操作表示部に表示される、動作設定画面の一例を示す図である。
【図５】本画像形成装置における、初期値入力処理の手順を示すフロー図である。
【図６】本画像形成装置における、ミニ本印刷処理の手順を示すフロー図である。
【図７】本画像形成装置における、ミニ本左綴じ処理の手順を示すフロー図である。
【図８】本画像形成装置における、ミニ本左綴じ処理により作成される刷り本の一例を示す図である。
【図９】本画像形成装置における、ミニ本右綴じ処理の手順を示すフロー図である。
【図１０】本画像形成装置における、ミニ本右綴じ処理により作成される刷り本の一例を示す図である。
【図１１】本画像形成装置における、中綴じ本印刷処理の手順を示すフロー図である。
【図１２】本画像形成装置における、中綴じ本左綴じ処理の手順を示すフロー図である。
【図１３】本画像形成装置における、中綴じ本左綴じ処理により作成される刷り本の一例を示す図である。
【図１４】本画像形成装置における、中綴じ本右綴じ処理の手順を示すフロー図である。
【図１５】本画像形成装置における、中綴じ本右綴じ処理により作成される刷り本の一例を示す図である。
【図１６】本画像形成装置における、読取処理の手順を示すフロー図である。
【発明を実施するための形態】
【０００９】
以下、図面を参照して、本発明の実施の形態を説明する。
図１は、本発明の一実施形態に係る画像形成装置の構成を示すブロック図である。
本実施形態の画像形成装置１００は、原稿を光学的に読取る画像読取手段であるスキャナ１０と、読取った画像情報を記録媒体である記録用紙の両面に印刷するプリンタ１１と、各種の操作キーや表示パネルなどを備えた、例えばタッチパネルで構成される操作表示部１２と、スキャナ１０で読取られた原稿の画像データをＨＤＤ（Hard Disk Drive）等に蓄積する画像蓄積部１３と、画像の変倍、集約等を行う画像処理部１４と、画像形成装置１００の全体を制御する制御部１５とを有している。
【００１０】
図２は、制御部１５の構成を示すブロック図である。
制御部１５は、ＣＰＵ（Central Processing Unit）、プログラムが書き込まれたＲＯＭ（Read Only Memory）、データの一時記憶のためのＲＡＭ（Random Access Memory）等を有するコンピュータであり、刷り本を印刷する毎に、印刷した刷り本の枚数をカウントするカウント手段１５１と、操作表示部１２により入力された、スキャナ１０により原稿を読取る際の読取を開始するページのページ番号（読取開始ページ番号）及び読取作業の終了時に最後に読取るページのページ番号（読取終了ページ番号）、並びにカウント手段１５１によりカウントされた刷り本の枚数に基づいて、選択された製本方法に適した順序で、次の刷り本を印刷するために読取るべき原稿のページ番号を算出する算出手段１５２とを有している。
【００１１】
また、制御部１５は、スキャナ１０により読取った原稿の画像データからそのページのページ番号を認識する文字認識手段１５３と、算出手段１５２が算出した読取るべき原稿のページ番号と文字認識手段１５３が認識したページ番号とが一致しているか否かを判断する判断手段１５４と、当該判断においてページ番号が一致していないときにエラー又は警告をユーザに通知する手段である通知手段１５５とを有している。
【００１２】
なお、上述した各手段は、プログラムにより実現される制御部（コンピュータ）１５の機能実現手段である。また、コンピュータ・プログラムは、コンピュータ読取り可能な任意の記憶媒体に記憶させておくことができる。
【００１３】
操作表示部１２は、読取開始ページ番号及び読取終了ページ番号を入力する入力手段であり、製本方法を選択するための手段であり、かつ、制御部１５の算出手段１５２が算出した、次の刷り本を印刷するために読取るべき原稿のページ番号を表示する表示手段である。
【００１４】
以上の構成を備えた画像形成装置１００は、２つの動作モード、すなわち、通常の単票原稿などの複写を行なう通常モードと、ブック原稿を読取って製本用の複写を行う製本モードとを有しており、ユーザが製本モードを指定してその製本方法を選択すると、その製本方法に適したページ番号順に、ユーザが次に読取るべき原稿のページ番号を操作表示部１２に表示する（ガイダンス表示）。
【００１５】
そして、ユーザがこのガイダンス表示に従って原稿を順次読取る操作を行うと、画像形成装置１００は、読取られた画像データを画像蓄積部１３に記憶し、４ページ分の記憶が完了する毎に、これらの画像データを１枚の記録用紙の表裏に配置して印刷し、次々と刷り本を作成していく。このため、ユーザは、作成された刷り本を束ねて綴じるだけで、所望の製本を行なうことができる。
【００１６】
以上のように、画像形成装置１００は、ユーザ指定の製本方法に適したページ番号順に次に読取るべきページをユーザに表示し、ユーザはこの表示に従ってページを読取る操作を行う。このため、画像形成装置１００は、読取った画像データを製本方法に応じて改めて再配列する必要がなく、従来の画像形成装置のような高速の処理装置を必要としない。また、４ページ分の原稿を読取るごとに１枚の刷り本を作成するため、画像蓄積部１３は、高々４ページ分の画像を記憶できる記憶容量があれば足り、小容量の記憶装置を用いて製造コストを低減することができる。
【００１７】
次に、画像形成装置１００の動作手順について、図３のフロー図に従って説明する。
ユーザが画像形成装置１００の電源を投入すると（Ｓ１０１）、操作表示部１２は動作の詳細を設定するための動作設定画面を表示し、ユーザはその動作設定画面を用いて動作設定の入力を行う（Ｓ１０２）。この動作設定には、動作モード（通常モード又は製本モード）の設定、製本方法（ミニ本製本又は中綴じ本製本）の設定、綴じ位置（左綴じ又は右綴じ）の設定、及び、ページ番号認識処理の有効又は無効の設定が含まれる。ここで、ページ番号認識処理とは、読取った画像データ毎に文字認識を行なってページ番号を抽出し、抽出したページ番号がガイダンス表示に表示されたページ番号と一致するか否かの判断を行う処理をいう。
【００１８】
続いて、制御部１５は、ユーザが設定した動作モードが製本モードか否かを判断し（Ｓ１０３）、製本モードであるときは（Ｓ１０３、Ｙｅｓ）、ブック原稿の読取開始ページ番号及び読取終了ページ番号等を入力する初期値入力処理を行う（Ｓ１０４）。なお、初期値入力処理の手順については後述する。
一方、ユーザが設定した動作モードが製本モードでないときは（Ｓ１０３、Ｎｏ）、ガイダンス表示を行なわない通常モードでの動作を行い（Ｓ１０５）、処理を終了する。
【００１９】
ステップＳ１０４の初期値入力処理を終了すると、制御部１５は、選択された製本方法がミニ本製本か否かを判定し（Ｓ１０６）、選択がミニ本製本であるときは（Ｓ１０６、Ｙｅｓ）、ミニ本印刷処理を行って（Ｓ１０７）、処理を終了する。一方、選択された製本方法がミニ本製本でないとき、すなわち中綴じ本製本であるときは（Ｓ１０６、Ｎｏ）、中綴じ本印刷処理を行って（Ｓ１０８）、処理を終了する。なお、ミニ本印刷処理及び中綴じ本印刷処理の手順については後述する。
【００２０】
ここで、中綴じ本とは、週刊誌等のように、重ねた刷り本の全体を二つ折りにし、折り目をステープラー等により結合する製本方法をいい、ミニ本とは、予め二つ折りにした刷り本を重ねて、各刷り本の折り目を糸等により互いに結合する製本方法をいう。なお、中綴じ本及びミニ本の具体的な作成例については後述する。
【００２１】
図４は、ステップＳ１０２において操作表示部１２に表示される、動作設定画面の一例を示す図である。図４の画面上部に、動作モードの選択肢として「通常モード」及び「製本モード」のボタンが表示されており、ユーザはいずれかのボタンに触れることにより動作モードを選択することができる。
【００２２】
また、ユーザが「製本モード」を選択した場合には、図４の画面下左部にページ番号認識処理の「有効」及び「無効」のボタン、画面下中央部に製本種類選択のための「ミニ本」及び「中綴じ本」のボタン、画面下右部に綴じ位置選択のための「左綴じ」及び「右綴じ」のボタンが表示され、ユーザはそれぞれ所望の選択肢のボタンに触れることにより、ページ番号認識処理の有効／無効、製本種類、及び綴じ位置を選択することができる。
【００２３】
次に、図３のステップＳ１０４に示した初期値入力処理の手順について、図５に示すフロー図に従って説明する。
まず、制御部１５は、ユーザに対しブック原稿の読取開始ページ番号Ｎｓ及び読取終了ページ番号Ｎｅの入力を促す入力画面を操作表示部１２に表示し（Ｓ２０１）、ユーザは、操作表示部１２により、ブック原稿の読取開始ページ番号Ｎｓ及び読取終了ページ番号Ｎｅを入力する（Ｓ２０２）。
【００２４】
続いて、制御部１５は、読取開始ページ番号Ｎｓと読取終了ページ番号Ｎｅから総ページ数Ｘ（＝Ｎｅ−Ｎｓ＋１）を算出し（Ｓ２０３）、次に、製本に必要な記録用紙の枚数である刷り本総数Ｙ（＝Ｘ÷４）を算出する（Ｓ２０４）。ここで、Ｙが小数点以下を含むときは、これを繰上げて整数とする。
最後に、制御部１５のカウント手段１５１が、作成した刷り本の枚数を計数するカウンタである刷り本枚数Ｍを０にクリアして（Ｓ２０５）、初期値入力処理を終了する。
【００２５】
次に、図３のステップＳ１０７に示したミニ本印刷処理の手順について、図６に示すフロー図に従って説明する。
まず、制御部１５は、ユーザ指定の綴じ位置が左綴じか否かを判断し（Ｓ３０１）、左綴じであるときは（Ｓ３０１、Ｙｅｓ）、制御部１５のカウント手段１５１により刷り本枚数Ｍの値に１を加算してから（Ｓ３０２）、ミニ本左綴じ処理を行う（Ｓ３０３）。ここで、ミニ本左綴じ処理では、ユーザに対し次に読取るべき原稿のページ番号を操作表示部１２に表示（ガイダンス表示）しつつ、４ページ分（刷り本１枚分）の原稿画像データを取得して画像蓄積部１３に記憶する。なお、ミニ本左綴じ処理の手順については後述する。
【００２６】
次に、制御部１５は、ステップＳ３０３のミニ本左綴じ処理において画像蓄積部１３に記憶した４ページ分の画像データを読み出し、記録用紙の表裏に２ページずつ印刷して１枚分の刷り本を印刷する（Ｓ３０４）。また、制御部１５は、刷り本枚数Ｍが刷り本総数Ｙと等しいか否かを判断し（Ｓ３０５）、等しいときは（Ｓ３０５、Ｙｅｓ）、処理を終了し、等しくないときは（Ｓ３０５、Ｎｏ）、ステップＳ３０２に戻って次の４ページ分の原稿読取を開始する。
【００２７】
一方、ステップＳ３０１において、ユーザ指定の綴じ位置が左綴じでないとき、すなわち右綴じであるときは（Ｓ３０１、Ｎｏ）、制御部１５のカウント手段１５１により刷り本枚数Ｍの値に１を加算してから（Ｓ３０６）、ミニ本右綴じ処理を行い（Ｓ３０７）、１枚分の刷り本を印刷する（Ｓ３０８）。その後、制御部１５は、刷り本枚数Ｍが刷り本総数Ｙと等しいか否かを判断し（Ｓ３０９）、等しいときは（Ｓ３０９、Ｙｅｓ）、処理を終了し、等しくないときは（Ｓ３０９、Ｎｏ）、ステップＳ３０６に戻って次の４ページ分の原稿読取を開始する。
【００２８】
次に、図６のステップＳ３０３に示したミニ本左綴じ処理の手順について、図７に示すフロー図に従って説明する。
まず、制御部１５の算出手段１５２は、次に読取るべき原稿のページ番号Ｎｐ（読取ページ番号）を、Ｎｐ＝４×（Ｍ−１）＋Ｎｓ＋１により算出し（Ｓ４０１）、制御部１５が、そのページ番号の原稿ページの読取処理を行う（Ｓ４０２）。
次に、制御部１５の算出手段１５２は、次の読取ページ番号Ｎｐを、Ｎｐ＝４×（Ｍ−１）＋Ｎｓ＋２により算出し（Ｓ４０３）、制御部１５が、そのページ番号の原稿ページの読取処理を行う（Ｓ４０４）。
【００２９】
さらに、制御部１５の算出手段１５２は、次の読取ページ番号Ｎｐを、Ｎｐ＝４×（Ｍ−１）＋Ｎｓ＋３により算出し（Ｓ４０５）、制御部１５が、そのページ番号の原稿ページの読取処理を行う（Ｓ４０６）。
最後に、制御部１５の算出手段１５２は、次の読取ページ番号Ｎｐを、Ｎｐ＝４×（Ｍ−１）＋Ｎｓにより算出した後（Ｓ４０７）、制御部１５が、そのページ番号の原稿ページの読取処理を行って（Ｓ４０８）、処理を終了する。
【００３０】
上記のステップＳ４０８の読取処理を終了した後は、刷り本枚数Ｍが刷り本総数Ｙと等しくないときは（図６のステップＳ３０５、Ｎｏ）、制御部１５のカウント手段１５１により刷り本枚数Ｍに１が加算される（図６のステップＳ３０２）。
【００３１】
図８は、図７に示すミニ本左綴じ処理により作成される刷り本の一例を示す図である。図８Ａは、初期状態であるＭ＝１の処理で作成される１枚目の刷り本を、図８Ｂは、続くＭ＝２における処理で作成される２枚目の刷り本を示しており、図８Ｃは、これらの刷り本により作成されるミニ本（左綴じ）の構成を示している。
【００３２】
初期状態であるＭ＝１では、ステップＳ４０２により読取られたページ番号Ｎｓ＋１（＝４×（１−１）＋Ｎｓ＋１）のページが記録用紙の表面の左側半面に印刷され、続いて、ステップＳ４０４で読取られたページ番号Ｎｓ＋２のページが表面の右側半面に印刷される。同様に、ステップＳ４０６及びＳ４０８で読取られたページ番号Ｎｓ＋３及びＮｓのページが、それぞれ記録用紙の裏面の左半面及び右半面に印刷される。これにより、図８Ａに示す１枚目の刷り本が作成される。ここで、図８Ａにおいて、図の下側の辺は表裏共に印刷画像の上の辺（上辺）であり、図の上側の辺が、表裏共に印刷画像の下の辺（下辺）である。
【００３３】
続いて、図６のステップＳ３０２においてＭに１が加算されＭ＝２になると、上記と同様の処理により、ページ番号Ｎｓ＋５及びＮｓ＋６のページが、それぞれ記録用紙の表面の左半面及び右半面に印刷され、ページ番号Ｎｓ＋７及びＮｓ＋４のページが、記録用紙の裏面の左半面及び右半面に印刷される。これにより、図８Ｂに示す２枚目の刷り本が作成される。
【００３４】
ユーザは、これらの刷り本からミニ本を以下のように製本することができる。
まず、図８Ａに示す１枚目の刷り本を、ページ番号Ｎｓ及びＮｓ＋３の印刷面（裏面）が外側を向くように二つ折りし、図８Ｂに示す２枚目の刷り本を、ページ番号Ｎｓ＋４及びＮｓ＋７の印刷面（裏面）が外を向くように二つ折りする。次に、図８Ｃに示すように、二つ折りした１枚目及び２枚目の刷り本を並べ、それぞれの折り目（図８Ｃの点線で囲まれた部分）を互いに固定すれば、左綴じのミニ本を製本することができる。折り目の固定方法としては、糸、ステープラー、粘着テープ、あるいは接着剤等を用いることができる。ここで、図８Ｃは、二つ折りにした１枚目及び２枚目の刷り本を、上辺から見込んだ状態を示している。
【００３５】
次に、図６に示したミニ本右綴じ処理の手順について、図９に示すフロー図に従って説明する。
図７に示したミニ本左綴じ処理との違いは、ステップＳ５０１、Ｓ５０３、Ｓ５０５、及びＳ５０７で算出する読取ページ番号Ｎｐが、それぞれ、Ｎｐ＝４×（Ｍ−１）＋Ｎｓ＋２、Ｎｐ＝４×（Ｍ−１）＋Ｎｓ＋１、Ｎｐ＝４×（Ｍ−１）＋Ｎｓ、及びＮｐ＝４×（Ｍ−１）＋Ｎｓ＋３となっている点にある。それ以外のステップＳ５０２、Ｓ５０４、Ｓ５０６、及びＳ５０８は、図７に示したステップＳ４０２、Ｓ４０４、Ｓ４０６、及びＳ４０８と、それぞれ同じである。
【００３６】
図１０は、図９に示すミニ本右綴じ処理により作成される刷り本の一例を示す図である。図１０Ａは、初期状態であるＭ＝１の処理で作成される１枚目の刷り本を、図１０Ｂは、続くＭ＝２における処理で作成される２枚目の刷り本を示しており、図１０Ｃは、これらの刷り本により作成されるミニ本（右綴じ）の構成を示している。
【００３７】
初期状態であるＭ＝１では、ステップＳ５０２及びＳ５０４により読取られたページ番号Ｎｓ＋２及びＮｓ＋１のページが、記録用紙の表面の左半面及び右半面にそれぞれ印刷され、ステップＳ５０６及びＳ５０８で読取られたページ番号Ｎｓ及びＮｓ＋３のページが、記録用紙の裏面の左半面及び右半面にそれぞれ印刷される。これにより、図１０Ａに示す１枚目の刷り本が作成される。ここで、図１０Ｂにおいて、図の下側の辺は表裏共に印刷画像の上の辺（上辺）であり、図の上側の辺が、表裏共に印刷画像の下の辺（下辺）である。
【００３８】
続いて、図６のステップＳ３０６でＭに１が加算されＭ＝２になると、上記と同様の処理により、ページ番号Ｎｓ＋６及びＮｓ＋５のページが、それぞれ記録用紙の表面の左半面及び右半面に印刷され、ページ番号Ｎｓ＋４及びＮｓ＋７が、記録用紙の裏面の左半面及び右半面に印刷される。これにより、図１０Ｂに示す２枚目の刷り本が作成される。
【００３９】
ユーザは、これらの刷り本からミニ本を以下のように製本することができる。
まず、図１０Ａに示す１枚目の刷り本を、ページ番号Ｎｓ及びＮｓ＋３の印刷面（裏面）が外側を向くように二つ折りし、図１０Ｂに示す２枚目の刷り本を、ページ番号Ｎｓ＋４及びＮｓ＋７の印刷面（裏面）が外を向くように二つ折りする。次に、図１０Ｃに示すように、二つ折りした１枚目及び２枚目の刷り本を並べ、それぞれの折り目（図１０Ｃの点線で囲まれた部分）を互いに固定すれば、右綴じのミニ本を製本することができる。ここで、図１０Ｃは、二つ折りにした１枚目及び２枚目の刷り本を、上辺から見込んだ状態を示している。
【００４０】
次に、図３のステップＳ１０８に示した中綴じ本印刷処理の手順について、図１１に示すフロー図に従って説明する。
図６に示したミニ本印刷処理との違いは、ステップＳ６０３において中綴じ本左綴じ処理を行い、ステップＳ６０７において中綴じ本右綴じ処理を行う点である。これら以外のステップＳ６０１、Ｓ６０２、Ｓ６０４ないしＳ６０６、Ｓ６０８、Ｓ６０９は、図６のステップＳ３０１、Ｓ３０２、Ｓ３０４ないしＳ３０６、Ｓ３０８、及びＳ３０９と同じである。
【００４１】
次に、図１１のステップＳ６０３に示した中綴じ本左綴じ処理の手順について、図１２に示すフロー図に従って説明する。
図７に示したミニ本左綴じ処理との違いは、ステップＳ７０１、Ｓ７０３、Ｓ７０５、及びＳ７０７で算出する読取ページ番号Ｎｐが、それぞれ、Ｎｐ＝［４×Ｙ−２×（Ｍ−１）］＋Ｎｓ−１、Ｎｐ＝２×（Ｍ−１）＋Ｎｓ、Ｎｐ＝２×（Ｍ−１）＋Ｎｓ＋１、及びＮｐ＝［４×Ｙ−２×（Ｍ−１）］＋Ｎｓ−２となっている点である。それ以外のステップＳ７０２、Ｓ７０４、Ｓ７０６、及びＳ７０８は、図７に示したステップＳ４０２、Ｓ４０４、Ｓ４０６、及びＳ４０８と、それぞれ同じである。
【００４２】
図１３は、図１２に示す中綴じ本左綴じ処理により作成される刷り本の一例を示す図である。図１３Ａは、初期状態であるＭ＝１の処理で作成される１枚目の刷り本を、図１３Ｂは、続くＭ＝２における処理で作成される２枚目の刷り本を示しており、図１３Ｃは、これらの刷り本により作成される中綴じ本（左綴じ）の構成を示している。ここで、読取開始ページ番号Ｎｓ＝１、読取終了ページ番号Ｎｅ＝８であるものとする。したがって、総ページ数Ｙ＝２（＝（Ｎｅ−Ｎｓ＋１）÷４）である。
【００４３】
初期状態であるＭ＝１では、ステップＳ７０２により読取られたページ番号８（＝［４×２−２×（１−１）］＋１−１）のページが記録用紙の表面の左側半面に印刷され、続いて、ステップＳ７０４で読取られたページ番号１が表面の右側半面に印刷される。同様に、ステップＳ７０６及びＳ７０８で読取られたページ番号２及び７のページが、それぞれ印刷紙の裏面の左半面及び右半面に印刷される。これにより、図１３Ａに示す１枚目の刷り本が作成される。ここで、図１３Ａにおいて、図の下側の辺は表裏共に印刷画像の上の辺（上辺）であり、図の上側の辺が、表裏共に印刷画像の下の辺（下辺）である。
【００４４】
続いて、図１１のステップＳ６０２でＭに１が加算されＭ＝２になると、上記と同様の処理により、ページ番号６及び３のページが、それぞれ記録用紙の表面の左半面及び右半面に印刷され、ページ番号４及び５が、記録用紙の裏面の左半面及び右半面に印刷される。これにより、図１３Ｂに示す２枚目の刷り本が作成される。
【００４５】
ここで、両面印刷された記録用紙は、通常、先に印刷された面が下を向くように排出される。このため、１枚目及び２枚目の刷り本は、図１３Ｃに示すように、画像形成装置１００の排紙トレイ（不図示）の中で、それぞれページ番号１の印刷面及びページ番号３の印刷面が下を向くように重なって排出される。なお、図１３Ｃは、１枚目及び２枚目の刷り本を、上辺から見込んだ状態を示している。
【００４６】
したがって、ユーザは、これらの刷り本を重ねたまま排紙トレイから取り出してページ番号１及び８の印刷面が外を向くように二つ折りし、２つの刷り本の折り目部分（図１３Ｃの点線で囲まれた部分）をステープラーや糸等により互いに固定すれば、左綴じの中綴じ本を製本することができる。
【００４７】
次に、図１１のステップＳ６０７に示した中綴じ本右綴じ処理の手順について、図１４に示すフロー図に従って説明する。
図７に示したミニ本左綴じ処理との相違は、ステップＳ８０１、Ｓ８０３、Ｓ８０５、及びＳ８０７で算出するページ番号が、それぞれ、Ｎｐ＝２×（Ｍ−１）＋Ｎｓ、Ｎｐ＝［４×Ｙ−２×（Ｍ−１）］＋Ｎｓ−１、Ｎｐ＝［４×Ｙ−２×（Ｍ−１）］＋Ｎｓ−２、及びＮｐ＝２×（Ｍ−１）＋Ｎｓ＋１となっている点にある。それ以外のステップＳ８０２、Ｓ８０４、Ｓ８０６、及びＳ８０８は、図７に示したステップＳ４０２、Ｓ４０４、Ｓ４０６、及びＳ４０８と、それぞれ同じである。
【００４８】
図１５は、図１４に示す中綴じ本右綴じ処理により作成される刷り本の一例を示す図である。図１５Ａは、初期状態であるＭ＝１の処理で作成される１枚目の刷り本を、図１５Ｂは、続くＭ＝２における処理で作成される２枚目の刷り本を示しており、図１５Ｃは、これらの刷り本により作成される中綴じ本（右綴じ）の構成を示している。ここで、読取開始ページ番号Ｎｓ＝１、読取終了ページ番号Ｎｅ＝８であるものとする。したがって、総ページ数Ｙ＝２（＝（Ｎｅ−Ｎｓ＋１）÷４）である。
【００４９】
初期状態であるＭ＝１では、ステップＳ８０２及びＳ８０４により読取られたページ番号１及び８のページが、記録用紙の表面の左半面及び右半面にそれぞれ印刷され、ステップＳ８０６及びＳ８０８で読取られたページ番号７及び２のページが、記録用紙の裏面の左半面及び右半面にそれぞれ印刷される。これにより、図１５Ａに示す１枚目の刷り本が作成される。ここで、図１５Ａにおいて、図の下側の辺は表裏共に印刷画像の上の辺（上辺）であり、図の上側の辺が、表裏共に印刷画像の下の辺（下辺）である。
【００５０】
続いて、図１１のステップＳ６０６でＭに１が加算されＭ＝２になると、上記と同様の処理により、ページ番号３及び６のページが、それぞれ記録用紙の表面の左半面及び右半面に印刷され、ページ番号５及び４が、記録用紙の裏面の左半面及び右半面に印刷される。これにより、図１５Ｂに示す２枚目の刷り本が作成される。
【００５１】
ここで、両面印刷された記録用紙は、通常、先に印刷された面が下を向くように排出される。このため、１枚目及び２枚目の刷り本は、図１５Ｃに示すように、画像形成装置１００の排紙トレイ（不図示）の中で、それぞれページ番号１の印刷面及びページ番号３の印刷面が下を向くように重なって排出される。なお、図１５Ｃは、１枚目及び２枚目の刷り本を上辺から見込んだ状態を示している。
【００５２】
したがって、ユーザは、これらの刷り本を重ねたまま排紙トレイから取り出してページ番号１及び８の印刷面が外を向くように二つ折りし、２つの刷り本の折り目部分（図１５Ｃの点線で囲まれた部分）を固定すれば、右綴じの中綴じ本を製本することができる。
【００５３】
次に、図７のステップＳ４０２、Ｓ４０４、Ｓ４０６、及びＳ４０８等に示した読取処理の手順について、ステップＳ４０２を例に採り図１６のフロー図に従って説明する。
【００５４】
まず、制御部１５は、一つ前の処理、すなわち図７のステップＳ４０１で算出された読取ページ番号Ｎｐが読取終了ページ番号Ｎｅ以下であるか否かを判断し（Ｓ９０１）、Ｎｅ以下であるときは（Ｓ９０１、Ｙｅｓ）、ユーザが次に読取るべき原稿のページ番号として読取ページ番号Ｎｐを操作表示部１２に表示する（Ｓ９０２）。次に、ユーザは、この操作表示部１２に表示された読取ページ番号Ｎｐを確認し、これと同じページ番号の原稿ページをスキャナ１０により読取る（Ｓ９０３）。
【００５５】
ここで、ステップＳ９０２において読取ページ番号Ｎｐをユーザに通知する方法としては、操作表示部１２に表示するほか、画像形成装置１００に音声通知手段（不図示）を設けて音声により通知することもできる。これにより、原稿ページの読取ミスを更に防ぐことができる。この音声通知手段は、例えば、音声データを記憶したＲＡＭ等の記憶装置と、スピーカと、プログラムにより音声データを再生する制御部１５とにより構成することができる。また、制御部１５により音声合成プログラムを実行し、合成された音声をスピーカにより出力するものとすることもできる。
【００５６】
一方、ステップＳ９０１において読取ページ番号Ｎｐが読取終了ページ番号Ｎｅを超えているときは（Ｓ９０１、Ｎｏ）、制御部１５は操作表示部１２に、読取終了ページ番号Ｎｅの後のページは空白となる旨のメッセージと、ユーザがこのメッセージを確認して応答するための確認ボタンとを表示し（Ｓ９０４）、ユーザが確認ボタンに触れたか否かを判断する（Ｓ９０５）。そして、ユーザが確認ボタンに触れたときは（Ｓ９０５、Ｙｅｓ）、処理を終了し、触れていないときは（Ｓ９０５、Ｎｏ）、触れるまで待機する。
【００５７】
次に、ステップＳ９０３での原稿の読取が完了すると、制御部１５は、ページ番号認識処理が「有効」に設定されているか否かを判断し（Ｓ９０６）、「有効」に設定されているときは（Ｓ９０６、Ｙｅｓ）、制御部１５の文字認識手段１５３が、ステップＳ９０３により取得した画像データに対して文字認識処理を行い、ページ番号を認識して抽出する（Ｓ９０７）。
【００５８】
一方、ステップＳ９０６においてページ番号認識処理が「有効」に設定されていないとき、すなわちページ番号認識処理が「無効」に設定されているときは（Ｓ９０６、Ｎｏ）、処理を終了する。
【００５９】
ステップＳ９０７の処理の後、制御部１５の判断手段１５４は、抽出されたページ番号が、図７のステップＳ４０１で算出された読取ページ番号Ｎｐと一致するか否かを判断し（Ｓ９０８）、一致していれば（Ｓ９０８、Ｙｅｓ）、処理を終了する。
【００６０】
一方、抽出したページ番号が読取ページ番号Ｎｐと一致していないときは（Ｓ９０８、Ｎｏ）、制御部１５の通知手段１５５は、操作表示部１２により、ユーザに対しエラーの発生又は警告を通知すると共に、読取作業のやり直しの要否をユーザに確認する（Ｓ９０９）。そして、読取作業のやり直しを行う場合には（Ｓ９０９、Ｙｅｓ）、ステップＳ９０２に戻って処理を繰り返す。一方、読取作業のやり直しを行なわない場合には（Ｓ９０９、Ｎｏ）、そのまま処理を終了する。
【００６１】
なお、ステップＳ９０９における、ユーザに対する読取作業のやり直しの要否の確認は、例えば、操作表示部１２に、読取作業のやり直しの要否を問うメッセージと「ＹＥＳ」ボタン及び「ＮＯ」ボタンを表示して、ユーザが「ＹＥＳ」ボタン又は「ＮＯ」ボタンに触れた場合には、それぞれ読取作業のやり直しが必要又は不要と判断することができる。
【００６２】
以上説明したように、本実施形態では、選択された製本方法に適した順序で次の刷り本を印刷するために、読取るべきページ番号を操作表示部１２に表示し、ユーザはこの表示に従って当該ページ番号のページをスキャナ１０で読取る処理を行う。このため、画像の印刷に際して、読取った画像データを製本方法に応じて改めて再配列する必要がなく、従来の画像形成装置のような高速の処理装置を必要としない。また、４ページ分の原稿を読取るごとに１枚の刷り本を作成するため、画像蓄積部１３は、高々４ページ分の画像を記憶できる記憶容量があれば足り、小容量の記憶装置を用いて製造コストを低減することができる。
【符号の説明】
【００６３】
１０・・・スキャナ、１１・・・プリンタ、１２・・・操作表示部、１３・・・画像蓄積部、１４・・・画像処理部、１５・・・制御部、１００・・・画像形成装置、１５１・・・カウント手段、１５２・・・算出手段、１５３・・・文字認識手段、１５４・・・判断手段、１５５・・・通知手段。
【先行技術文献】
【特許文献】
【００６４】
【特許文献１】特開平７−５０７３８号公報
【図１】
2012090116.tif 000003
【図２】
2012090116.tif 000004
【図３】
2012090116.tif 000005
【図４】
2012090116.tif 000006
【図５】
2012090116.tif 000007
【図６】
2012090116.tif 000008
【図７】
2012090116.tif 000009
【図８】
2012090116.tif 000010
【図９】
2012090116.tif 000011
【図１０】
2012090116.tif 000012
【図１１】
2012090116.tif 000013
【図１２】
2012090116.tif 000014
【図１３】
2012090116.tif 000015
【図１４】
2012090116.tif 000016
【図１５】
2012090116.tif 000017
【図１６】
2012090116.tif 000018